(57)【要約】【課題】本空気調和機の室内機は、除湿迎転時に凝縮器として機能する第１の熱交換器６ａと、除湿運転時に蒸発器として機能する第２の熱交換器６ｂからなる室内熱交換器６が備えられた空気調和機の室内機において、第１の熱交換器６ａにのみ低温脱臭触媒９が塗布される。【解決手段】熱交換性能を維持しながら、充分な脱臭性能を発揮でき、特にホルムアルデヒド脱臭特性に優れた空気調和機の室内機を提供する。【選択図】  図２
2004293890.tif 000002
【特許請求の範囲】
【請求項１】
除湿運転時に凝縮器として機能する第１の熱交換器と、除湿運転時に蒸発器として機能する第２の熱交換器からなる室内熱交換器が備えられた空気調和機の室内機において、前記第１の熱交換器にのみ低温脱臭触媒が塗布されたことを特徴とする空気調和機の室内機。
【請求項２】
前記第１の熱交換器の低温脱臭触媒が塗布されたフィンの面積は、室内熱交換器のフィン全体の表面積の３０％以下であることを特徴とする請求項１に記載の空気調和機の室内機。
【請求項３】
前記第１の熱交換器の低温脱臭触媒が塗布されたフィンは、低温脱臭触媒が塗布されていないフィンと別体に形成されていることを特徴とする請求項１または２に記載の空気調和機の室内機。
【発明の詳細な説明】
【０００１】
【発明の属する技術分野】
本発明は空気調和機の室内機に係わり、特に低温脱臭触媒が塗布された熱交換器が備えられた空気調和機の室内機に関する。
【０００２】
【従来の技術】
従来、空気調和機の室内機に設けられるホルムアルデヒド脱臭部材としては、▲１▼室内機の前面パネルの裏面に低温脱臭部材を塗布したもの（特許文献１）、▲２▼アルミハニカムやウレタンフォーム等のフィルタ状触媒支持体に低温脱臭触媒を担持させたもの、▲３▼ヒータ表面に脱臭触媒を担持させたもの、▲４▼活性炭をフィルタ状にしたもの等がある。
【０００３】
しかしながら、▲１▼及び▲２▼のものは、脱臭効果を向上させるために、前面パネルの面積を大きくしたり、フィルタ容積を大きくする必要があり、室内機全体が大型化する問題があり、▲３▼のものはヒータを高温にするため安全性上の問題があり、▲４▼のものは使い捨てであるため定期的交換の問題がある。また、熱交換器全体に酸化チタン等からなる光酸化触媒を塗布することも知られていることから、熱交換器全体に低温脱臭触媒を塗布することも考えられるが、この場合には、フィンの熱伝達特性が低下したり、親水性が低下したりして熱交換性能が大幅に低下する不具合がある。
【０００４】
【特許文献１】
特開２００２−６５８２３号公報（段落番号［００１５］、図２）
【０００５】
【発明が解決しようとする課題】
本発明は上述した事情を考慮してなされたもので、熱交換性能を維持しながら、充分な脱臭性能を発揮でき、特にホルムアルデヒド脱臭特性に優れた空気調和機の室内機を提供することを目的とする。
【０００６】
【課題を解決するための手段】
上記目的を達成するため、本発明の１つの態様によれば、除湿運転時に凝縮器として機能する第１の熱交換器と、除湿運転時に蒸発器として機能する第２の熱交換器からなる室内熱交換器が備えられた空気調和機の室内機において、前記第１の熱交換器にのみ低温脱臭触媒が塗布されたことを特徴とする空気調和機の室内機が提供される。これにより、熱交換性能を維持しながら、充分な脱臭性能を発揮でき、特にホルムアルデヒド脱臭特性に優れた空気調和機の室内機が実現される。
【０００７】
好適な一例では、前記第１の熱交換器の低温脱臭触媒が塗布されたフィンの面積は、室内熱交換器のフィン全体の表面積の３０％以下である。これにより、熱交換性能を維持させながら、充分な脱臭性能を発揮させることができる。
【０００８】
また、他の好適な一例では、前記第１の熱交換器の低温脱臭触媒が塗布されたフィンは、低温脱臭触媒が塗布されていないフィンと別体に形成されている。これにより、低温脱臭触媒を塗布するフィンのみを低温脱臭触媒の溶液中に浸漬して塗布することができ、塗布作業を容易に行うことができるとともに、塗布が望ましくないフィンへの誤った塗布を防止できる。
【０００９】
【発明の実施の形態】
以下、本発明に係わる空気調和機の室内機の実施形態について添付図面を参照して説明する。
【００１０】
図１は、本発明に係わる空気調和機の室内機が用いられた空気調和機の冷凍サイクル図である。
【００１１】
図１に示すように、本発明に係わる空気調和機の室内機１は、冷凍サイクルＳを有する空気調和機に用いられ、冷凍サイクルＳは、圧縮機２、四方切換弁３、室外熱交換器４、膨張弁５、第１の熱交換器６ａと第２の熱交換器６ｂからなる室内熱交換器６、両熱交換器６ａ、６ｂ間に設けられた流体制御弁７を順次接続して形成されている。
【００１２】
図２に示すように、室内機本体１ａ内には、略々Ｌ字状に配置され、除湿運転時に蒸発器として機能する第２の熱交換器６ｂと、この第２の熱交換器６ｂに近接してその風上側に配置され、除湿迎転時に凝縮器として機能する２個の第１の熱交換器６ａと、第２の熱交換器６ｂに近接し、その風下側に配置された室内電動ファン８及び流体制御弁７が収納されている。なお、その他の構成部品は、全て室外機に収納されている。
【００１３】
図３及び図４に示すように、第１の熱交換器６ａは、表面に低温脱臭触媒９が塗布されたフィン６ａ１と、低温脱臭触媒が塗布されていないフィン６ａ２とを有しており、フィン６ａ１とフィン６ａ２は別体に形成されている。
【００１４】
上記低温脱臭触媒９は、マンガン酸化物または白金を主成分とするもので、光等を作用させることなしに、ホルムアルデヒド等を分解することができる。また、０℃から常温域の低温で一定の脱臭効果を発揮するとともに、常温よりも高温にすれば活性が増加し、さらに高い効果を発揮する性質を有する。ただし、水に濡れると触媒性能が初期の３０〜４０％程度と大幅に低下する。なお、低温脱臭触媒は、除湿運転時に凝縮器として作用し、高温となる第１の熱交換器６ａの全部のフィン表面に塗布してもよいが、低温脱臭触媒の塗布により、フィンの熱伝達特性が、多少低下すること及びフィンの親水性が低下して、表面に凝縮水が水滴となって付着して、フィンの通風抵抗が増大することから、第１の熱交換器６ａと第２の熱交換器６ｂを合わせた室内熱交換器６全体のフィン表面積の３０％以下にするのが好ましく、１０％以下がより好ましい。これにより、熱交換性能を維持させながら、充分な脱臭性能を発揮させることができる。
【００１５】
熱交換器６は、１ｍｍ程度の小さなフィンピッチで多数枚のフィンを配置して形成されているから、室内熱交換器６全体のフィン表面積の数％に低温脱臭触媒を塗布するだけで、大きな塗布面積になり、充分な脱臭特性を得ることができる。
【００１６】
さらに、低温脱臭触媒９が塗布されるフィン６ａ１は、上記のように他の熱交換器のフィンとは別体に形成することにより、フィン６ａ１のみを低温脱臭触媒の溶液中に浸漬して塗布することができ、塗布作業を容易に行うことができるとともに、塗布が望ましくないフィンへの誤った塗布を防止することができる。
【００１７】
図１に示すような上記空気調和機において、冷房運転時には、流体制御弁６が開かれ、冷媒は圧縮機２、四方切換弁３、室外熱交換器（凝縮）４、膨張弁５、第１の熱交換器（蒸発）６ａ、流体制御弁７、第２の熱交換器（蒸発）６ｂ、四方切換弁３の順に流れ、室内熱交換器６の第１の熱交換器６ａ及び第２の熱交換器６ｂの両方が蒸発器として作用して効果的な冷房運転がなされる。
【００１８】
暖房運転時には、流体制御弁７が開かれ、冷媒は圧縮機２、四方切換弁３、第２の熱交換器６ｂ、流体制御弁７、第１の熱交換器６ａ、膨張弁５、室外熱交換器３、四方切換弁３の順に流れる。
【００１９】
また、除湿運転時には、流体制御弁７が閉じて絞り通路を形成し、冷媒は圧縮機２、四方切換弁３、室外熱交換器（凝縮）４、膨張弁５、第１の熱交換器（凝縮）６ａ、流体制御弁７、第２の熱交換器（蒸発）６ｂ、四方切換弁３の順に流れ、室内熱交換器６の第１の熱交換器６ａが凝縮器として機能するとともに、第２の熱交換器６ｂが蒸発器として機能することにより、室内の温度を低下させることなく除湿運転がなされる。
【００２０】
このような除湿過程において、第１の熱交換器（凝縮）６ａの低温脱臭触媒９が塗布されたフィン６ａ１間を通過する空気は、低温脱臭触媒９の作用により、ホルムアルデヒド等が分解されて、脱臭され、加熱されて、第２の熱交換器（蒸発）６ｂで冷却、除湿されて室内機本体１ａ外へ吹出される。また、第１の熱交換器（凝縮）６ａの低温脱臭触媒９が塗布されていないフィン６ａ２間を通過する空気は、加熱されて、第２の熱交換器（蒸発）６ｂに達する。
【００２１】
空気のフィン６ａ１間通過時、第１の熱交換器６ａのフィン６ａ１、６ａ２の一部のフィン６ａ１のみに低温脱臭触媒９が塗布されているので、低温脱臭触媒の塗布により、第１の熱交換器６ａのフィン６ａ１、６ａ２全体の熱伝達特性の低下がなく、また、フィン６ａ１の親水性の低下に起因して表面に凝縮水が水滴となって付着するのが防止されて、フィン６ａ１の通風抵抗が増大することがない。特に、低温脱臭触媒９の塗布面積が第１の熱交換器６ａと第２の熱交換器６ｂを合わせた室内熱交換器６全体のフィン表面積の３０％以下であるので、第１の熱交換器６ａの熱交換性能を維持させながら、充分な脱臭性能を発揮させることができる。また、除湿運転時及び暖房運転時には、低温脱臭触媒塗布部分が高温になるため、触媒の活性が増大して、より高い脱臭性能が発揮される。
【００２２】
【発明の効果】
本発明に係わる空気調和機の室内機によれば、熱交換性能を維持しながら、充分な脱臭性能を発揮でき、特にホルムアルデヒド脱臭特性に優れた空気調和機の室内機を提供することができる。
【図面の簡単な説明】
【図１】本発明に係わる空気調和機の室内機が用いられた空気調和機の冷凍サイクル図。
【図２】本発明に係わる空気調和機の室内機が用いられた空気調和機の断面を示す概念図。
【図３】本発明に係わる空気調和機の室内機に用いられる第１の熱交換器の側面を示す概念図。
【図４】本発明に係わる空気調和機の室内機に用いられる第１の熱交換器のフィンの低温脱臭触媒の塗布状態を示す概念図。
【符号の説明】
１  空気調和機の室内機、１ａ  室内機本体、２  圧縮機、３  四方切換弁、４  室外熱交換器、５  膨張弁、６  室内熱交換器、６ａ  第１の熱交換器、６ａ１  フィン、６ａ２  フィン、６ｂ  第２の熱交換器、７  流体制御弁、８  室内電動ファン、９  低温脱臭触媒、Ｓ  冷凍サイクル。
【図１】
2004293890.tif 000003
【図２】
2004293890.tif 000004
【図３】
2004293890.tif 000005
【図４】
2004293890.tif 000006